(57)【要約】【課題】  熱線センサとスイッチ装置とを接続する信号線が製造時に支持枠とボディとの間に挟まれにくい熱線センサ付き自動スイッチを提供する。【解決手段】  人体を検出する熱線センサを有するセンサブロック１と、熱線センサの出力に応じて負荷への給電をオンオフするスイッチ装置３と、スイッチ装置３を保持するボディ２１と、センサブロック１を支持してボディ２１の前側に取り付けられる支持枠２２とを備える。支持枠２２の本体部２２ａの左右両面に、それぞれ先端が前方へ曲がった鉤状の引掛凸部２２ｉが左右方向の外側へ突設されている。支持枠２２をボディ２１に取り付ける際には、各信号線ＳＬをそれぞれ引掛凸部２２ｉの前側に引っ掛ければ、信号線ＳＬがボディ２１と支持枠２２との間に挟まれにくい。【選択図】図１
2010027399.tif 000002
【特許請求の範囲】
【請求項１】
人体から放射される熱線を検出する熱線センサ、並びに、所定の検出範囲からの熱線を熱線センサに集光する集光レンズを有するセンサブロックと、
検出範囲の向きを可変とするようにセンサブロックを首振り可能に支持するとともに後面を取付面に向けて取付面に対して固定されるハウジングと、
ハウジングに保持され柔軟な信号線を介して熱線センサに電気的に接続されるとともに電源から負荷への給電路に挿入され熱線センサにおける熱線の検出に応じて負荷への給電をオンオフするスイッチ装置を備え、
ハウジングは、スイッチ装置が固定されるボディと、センサブロックが挿通されるセンサ挿通穴が貫設されボディに対してセンサ挿通穴の貫通方向に交差する方向に結合するとともにセンサブロックを支持する支持枠と、ボディに被着されてスイッチ装置が収納される空間をボディとの間に構成するカバーとを備え、
支持枠において、ボディに向けられる面には、前記信号線が挿通される信号線挿通開口が設けられ、ボディとの結合方向に交差する方向に向けられた面には、支持枠をボディに取り付ける際に前記信号線が引っ掛けられる引掛凸部が突設されていることを特徴とする熱線センサ付き自動スイッチ。
【請求項２】
センサブロックは、センサ挿通穴に挿通不可能な球面形状の外面がセンサ挿通穴の内面に接することにより支持枠に対して回転可能に支持されていて、
環形状の板ばねからなり厚さ方向をセンサ挿通穴の貫通方向に向けて外周部が支持枠に結合するとともに内周部がハウジングの内側からセンサブロックに弾接してセンサブロックを支持枠に押し付ける押さえばねを備え、
ボディには、支持枠がボディに取り付けられる際に押さえばねと支持枠との間に挿入される仕切り凸部が設けられていて、
支持枠がボディに取り付けられた状態で、支持枠の信号線挿通開口は、仕切り凸部に関して押さえばねの反対側に位置することを特徴とする請求項１記載の熱線センサ付き自動スイッチ。
【請求項３】
支持枠の、ボディに向けられる面において、信号線挿通開口と引掛凸部との間には、信号線の一部が収納される信号線ガイド溝が設けられていることを特徴とする請求項１又は請求項２記載の熱線センサ付き自動スイッチ。
【請求項４】
センサブロックは、センサ挿通穴に挿通不可能な球面形状の外面がセンサ挿通穴の内面に接することにより支持枠に対して回転可能に支持されていて、
板ばねからなり支持枠に対して固定されるとともにハウジングの内側からセンサブロックに弾接してセンサブロックを支持枠に押し付ける押さえばねを備え、
センサブロックがハウジングの内側に押し込まれたときに押さえばねが塑性変形する前に押さえばねとセンサブロックとの少なくとも一方に当接してそれ以上の押さえばねの変形を禁止する制限部が、カバーに設けられていることを特徴とする請求項１〜３のいずれか１項に記載の熱線センサ付き自動スイッチ。
【請求項５】
支持枠には少なくとも１個の嵌合凸部が設けられるとともにボディにはそれぞれ嵌合凸部が嵌め込まれる少なくとも１個の嵌合穴が設けられていて、
各嵌合凸部がそれぞれ嵌合穴に嵌め込まれることで支持枠はボディに取り付けられるものであって、
少なくとも１個の嵌合凸部には、嵌合穴に嵌め込まれた際に嵌合穴の内面に押圧されることにより潰れる圧入凸部が設けられていることを特徴とする請求項１〜４のいずれか１項に記載の熱線センサ付き自動スイッチ。
【請求項６】
ボディには、支持枠が取り付けられる方向に交差する方向の両側から支持枠を挟む挟み部が設けられていて、支持枠において、ボディに取り付けられた状態で挟み部に挟まれる部位の、挟み部に向けられる各面は、それぞれ、挟み部に挟まれる方向での寸法を、ボディに取り付けられる方向に向かって小さくする方向に、少なくとも一部が傾斜していることを特徴とする請求項１〜５のいずれか１項に記載の熱線センサ付き自動スイッチ。
【請求項７】
ハウジングには、取付面へのねじ止めのための固定ねじが挿通されるねじ挿通穴が前後に貫設され、
ハウジングの前面には、底面にねじ挿通穴が開口して固定ねじの頭部が収納されるねじ用凹部が設けられていて、
ねじ用凹部を開閉する扉体を備え、
扉体は、ハウジングに対して固定される固定部と、固定部に対しねじ用凹部を覆う閉位置とねじ用凹部を開放する開位置との間で回転可能に連結された本体部とを有し、
扉体の本体部においてねじ用凹部の底面に向けられる面には、閉位置でねじ用凹部の内周面に当接してハウジングに対して扉体の本体部を位置決めする位置決め凸部が突設されていることを特徴とする請求項１〜６のいずれか１項に記載の熱線センサ付き自動スイッチ。
【請求項８】
ハウジングには、取付面へのねじ止めのための固定ねじが挿通されるねじ挿通穴が前後に貫設され、
ハウジングの前面には、底面にねじ挿通穴が開口して固定ねじの頭部が収納されるねじ用凹部が設けられていて、
ねじ用凹部を開閉する扉体を備え、
扉体は、ハウジングに対して固定される固定部と、固定部に対しねじ用凹部を覆う閉位置とねじ用凹部を開放する開位置との間で回転可能に連結された本体部とを有し、
ハウジングには、扉体の固定部が挿通される扉固定穴が前後に貫設されていて、
扉体の固定部は、扉固定穴に挿通不可能であって本体部に連結された連結部と、それぞれ連結部から後方に突設されて扉固定穴に挿通される２本の係止凸部とを有し、
各係止凸部の後端部には、それぞれ、連結部との間に前後方向からハウジングを挟む係止爪が、他方の係止凸部から離れる方向に突設されていて、
各係止凸部について、それぞれ、係止爪と連結部との間の距離は、ハウジングにおいて係止爪と連結部との間に挟まれる部位の前後の寸法よりも僅かに大きくされていることを特徴とする請求項１〜７のいずれか１項に記載の熱線センサ付き自動スイッチ。
【発明の詳細な説明】
【技術分野】
【０００１】
本発明は、熱線センサ付き自動スイッチに関するものである。
【背景技術】
【０００２】
従来から、人体から放射される熱線を検出する熱線センサ、並びに、所定の検出範囲からの熱線を熱線センサに集光する集光レンズを有するセンサブロックと、検出範囲の向きを可変とするようにセンサブロックを首振り可能に支持するハウジングと、ハウジングに保持され柔軟な信号線を介して熱線センサに電気的に接続されるとともに電源から負荷への給電路に挿入され熱線センサにおける熱線の検出に応じて負荷への給電をオンオフするスイッチ装置を備える熱線センサ付き自動スイッチが提供されている。
【０００３】
この種の熱線センサ付き自動スイッチとして、ハウジングが、スイッチ装置が固定されるボディと、センサブロックが挿通されるセンサ挿通穴が貫設されボディに対してセンサ挿通穴の貫通方向に交差する方向に結合するとともにセンサブロックを支持する支持枠と、ボディに被着されてスイッチ装置が収納される空間をボディとの間に構成するカバーとで構成されるものがある（例えば、特許文献１参照）。
【特許文献１】特開２００５−７１８８０号公報
【発明の開示】
【発明が解決しようとする課題】
【０００４】
上記のような熱線センサ付き自動スイッチのハウジングの組立作業は、まずスイッチ装置をボディに固定し、センサブロックから引き出された信号線をスイッチ装置に接続した後、センサブロックを支持枠に取り付け、次に支持枠をボディに取り付け、その後にボディにカバーを被着するといった順に行われる。上記のような組立作業を行いやすくするために、熱線センサとスイッチ装置とを接続する信号線としては、組立後の状態における熱線センサとスイッチ装置との距離の割に長いものが用いられる。
【０００５】
しかし、上記のように長めの信号線が用いられることにより、センサブロックを組み付けた支持枠をボディに取り付ける際に、熱線センサとスイッチ装置とを接続する信号線が支持枠とボディとの間に挟まれてしまうことがあった。
【０００６】
本発明は、上記事由に鑑みて為されたものであり、その目的は、熱線センサとスイッチ装置とを接続する信号線が製造時に支持枠とボディとの間に挟まれにくい熱線センサ付き自動スイッチを提供することにある。
【課題を解決するための手段】
【０００７】
請求項１の発明は、人体から放射される熱線を検出する熱線センサ、並びに、所定の検出範囲からの熱線を熱線センサに集光する集光レンズを有するセンサブロックと、検出範囲の向きを可変とするようにセンサブロックを首振り可能に支持するとともに後面を取付面に向けて取付面に対して固定されるハウジングと、ハウジングに保持され柔軟な信号線を介して熱線センサに電気的に接続されるとともに電源から負荷への給電路に挿入され熱線センサにおける熱線の検出に応じて負荷への給電をオンオフするスイッチ装置を備え、ハウジングは、スイッチ装置が固定されるボディと、センサブロックが挿通されるセンサ挿通穴が貫設されボディに対してセンサ挿通穴の貫通方向に交差する方向に結合するとともにセンサブロックを支持する支持枠と、ボディに被着されてスイッチ装置が収納される空間をボディとの間に構成するカバーとを備え、支持枠において、ボディに向けられる面には、前記信号線が挿通される信号線挿通開口が設けられ、ボディとの結合方向に交差する方向に向けられた面には、支持枠をボディに取り付ける際に前記信号線が引っ掛けられる引掛凸部が突設されていることを特徴とする。
【０００８】
この発明によれば、製造時にセンサブロックを保持した支持枠をボディに取り付ける際には、熱線センサとスイッチ装置とを電気的に接続する信号線を引掛凸部に引っ掛ければ、信号線が支持枠とボディとの間に挟まれにくい。
【０００９】
請求項２の発明は、請求項１の発明において、センサブロックは、センサ挿通穴に挿通不可能な球面形状の外面がセンサ挿通穴の内面に接することにより支持枠に対して回転可能に支持されていて、環形状の板ばねからなり厚さ方向をセンサ挿通穴の貫通方向に向けて外周部が支持枠に結合するとともに内周部がハウジングの内側からセンサブロックに弾接してセンサブロックを支持枠に押し付ける押さえばねを備え、ボディには、支持枠がボディに取り付けられる際に押さえばねと支持枠との間に挿入される仕切り凸部が設けられていて、支持枠がボディに取り付けられた状態で、支持枠の信号線挿通開口は、仕切り凸部に関して押さえばねの反対側に位置することを特徴とする。
【００１０】
この発明によれば、仕切り凸部を設けない場合に比べ、支持枠をボディに取り付ける際に信号線が押さえばねとボディとの間に挟まれにくい。
【００１１】
請求項３の発明は、請求項１又は請求項２の発明において、支持枠の、ボディに向けられる面において、信号線挿通開口と引掛凸部との間には、信号線の一部が収納される信号線ガイド溝が設けられていることを特徴とする。
【００１２】
この発明によれば、製造時にセンサブロックを保持した支持枠をボディに取り付ける際には、熱線センサとスイッチ装置とを電気的に接続する信号線の一部を信号線ガイド溝に収納すれば、信号線が支持枠とボディとの間に挟まれにくい。
【００１３】
請求項４の発明は、請求項１〜３のいずれかの発明において、センサブロックは、センサ挿通穴に挿通不可能な球面形状の外面がセンサ挿通穴の内面に接することにより支持枠に対して回転可能に支持されていて、板ばねからなり支持枠に対して固定されるとともにハウジングの内側からセンサブロックに弾接してセンサブロックを支持枠に押し付ける押さえばねを備え、センサブロックがハウジングの内側に押し込まれたときに押さえばねが塑性変形する前に押さえばねとセンサブロックとの少なくとも一方に当接してそれ以上の押さえばねの変形を禁止する制限部が、カバーに設けられていることを特徴とする。
【００１４】
この発明によれば、センサブロックがハウジングの内側に押し込まれることによる押さえばねの塑性変形が、制限部によって防止される。
【００１５】
請求項５の発明は、請求項１〜４のいずれかの発明において、支持枠には少なくとも１個の嵌合凸部が設けられるとともにボディにはそれぞれ嵌合凸部が嵌め込まれる少なくとも１個の嵌合穴が設けられていて、各嵌合凸部がそれぞれ嵌合穴に嵌め込まれることで支持枠はボディに取り付けられるものであって、少なくとも１個の嵌合凸部には、嵌合穴に嵌め込まれた際に嵌合穴の内面に押圧されることにより潰れる圧入凸部が設けられていることを特徴とする。
【００１６】
この発明によれば、圧入凸部が設けられない場合に比べ、支持枠とボディとの結合の強度が向上する。
【００１７】
請求項６の発明は、請求項１〜５のいずれかの発明において、ボディには、支持枠が取り付けられる方向に交差する方向の両側から支持枠を挟む挟み部が設けられていて、支持枠において、ボディに取り付けられた状態で挟み部に挟まれる部位の、挟み部に向けられる各面は、それぞれ、挟み部に挟まれる方向での寸法を、ボディに取り付けられる方向に向かって小さくする方向に、少なくとも一部が傾斜していることを特徴とする。
【００１８】
この発明によれば、ボディへの支持枠の取付時には、支持枠において上記のように傾斜した面と挟み部との摺接により支持枠がガイドされるから、ボディの挟み部の間への支持枠の導入が容易となる。
【００１９】
請求項７の発明は、請求項１〜６のいずれかの発明において、ハウジングには、取付面へのねじ止めのための固定ねじが挿通されるねじ挿通穴が前後に貫設され、ハウジングの前面には、底面にねじ挿通穴が開口して固定ねじの頭部が収納されるねじ用凹部が設けられていて、ねじ用凹部を開閉する扉体を備え、扉体は、ハウジングに対して固定される固定部と、固定部に対しねじ用凹部を覆う閉位置とねじ用凹部を開放する開位置との間で回転可能に連結された本体部とを有し、扉体の本体部においてねじ用凹部の底面に向けられる面には、閉位置でねじ用凹部の内周面に当接してハウジングに対して扉体の本体部を位置決めする位置決め凸部が突設されていることを特徴とする。
【００２０】
この発明によれば、位置決め凸部を設けない場合に比べ、閉位置での扉体のハウジングに対するがたつきが抑制される。
【００２１】
請求項８の発明は、請求項１〜７のいずれかの発明において、ハウジングには、取付面へのねじ止めのための固定ねじが挿通されるねじ挿通穴が前後に貫設され、ハウジングの前面には、底面にねじ挿通穴が開口して固定ねじの頭部が収納されるねじ用凹部が設けられていて、ねじ用凹部を開閉する扉体を備え、扉体は、ハウジングに対して固定される固定部と、固定部に対しねじ用凹部を覆う閉位置とねじ用凹部を開放する開位置との間で回転可能に連結された本体部とを有し、ハウジングには、扉体の固定部が挿通される扉固定穴が前後に貫設されていて、扉体の固定部は、扉固定穴に挿通不可能であって本体部に連結された連結部と、それぞれ連結部から後方に突設されて扉固定穴に挿通される２本の係止凸部とを有し、各係止凸部の後端部には、それぞれ、連結部との間に前後方向からハウジングを挟む係止爪が、他方の係止凸部から離れる方向に突設されていて、各係止凸部について、それぞれ、係止爪と連結部との間の距離は、ハウジングにおいて係止爪と連結部との間に挟まれる部位の前後の寸法よりも僅かに大きくされていることを特徴とする。
【００２２】
この発明によれば、係止爪と連結部との間の距離と、ハウジングにおいて係止爪と連結部との間に挟まれる部位の前後の寸法との差を小さくするほど、ハウジングに対する扉体の固定部のがたつきを抑えることができる。
【発明の効果】
【００２３】
請求項１の発明によれば、支持枠において、ボディに向けられる面には、前記信号線が挿通される信号線挿通開口が設けられ、ボディとの結合方向に交差する方向に向けられた面には、支持枠をボディに取り付ける際に前記信号線が引っ掛けられる引掛凸部が突設されているので、製造時にセンサブロックを保持した支持枠をボディに取り付ける際には、熱線センサとスイッチ装置とを電気的に接続する信号線を引掛凸部に引っ掛ければ、信号線が支持枠とボディとの間に挟まれにくい。
【００２４】
請求項２の発明によれば、ボディには、支持枠がボディに取り付けられる際に押さえばねと支持枠との間に挿入される仕切り凸部が設けられていて、支持枠がボディに取り付けられた状態で、支持枠の信号線挿通開口は、仕切り凸部に関して押さえばねの反対側に位置するので、仕切り凸部を設けない場合に比べ、支持枠をボディに取り付ける際に信号線が押さえばねとボディとの間に挟まれにくい。
【００２５】
請求項３の発明によれば、支持枠の、ボディに向けられる面において、信号線挿通開口と引掛凸部との間には、信号線の一部が収納される信号線ガイド溝が設けられているので、製造時にセンサブロックを保持した支持枠をボディに取り付ける際には、熱線センサとスイッチ装置とを電気的に接続する信号線の一部を信号線ガイド溝に収納すれば、信号線が支持枠とボディとの間に挟まれにくい。
【００２６】
請求項４の発明によれば、センサブロックがハウジングの内側に押し込まれたときに押さえばねが塑性変形する前に押さえばねとセンサブロックとの少なくとも一方に当接してそれ以上の押さえばねの変形を禁止する制限部が、カバーに設けられているので、センサブロックがハウジングの内側に押し込まれることによる押さえばねの塑性変形が、制限部によって防止される。
【００２７】
請求項５の発明によれば、支持枠には少なくとも１個の嵌合凸部が設けられるとともにボディにはそれぞれ嵌合凸部が嵌め込まれる少なくとも１個の嵌合穴が設けられていて、各嵌合凸部がそれぞれ嵌合穴に嵌め込まれることで支持枠はボディに取り付けられるものであって、少なくとも１個の嵌合凸部には、嵌合穴に嵌め込まれた際に嵌合穴の内面に押圧されることにより潰れる圧入凸部が設けられているので、圧入凸部が設けられない場合に比べ、支持枠とボディとの結合の強度が向上する。
【００２８】
請求項６の発明によれば、ボディには、支持枠が取り付けられる方向に交差する方向の両側から支持枠を挟む挟み部が設けられていて、支持枠において、ボディに取り付けられた状態で挟み部に挟まれる部位の、挟み部に向けられる各面は、それぞれ、挟み部に挟まれる方向での寸法を、ボディに取り付けられる方向に向かって小さくする方向に、少なくとも一部が傾斜しているので、ボディへの支持枠の取付時には、支持枠において上記のように傾斜した面と挟み部との摺接により支持枠がガイドされるから、ボディの挟み部の間への支持枠の導入が容易となる。
【００２９】
請求項７の発明によれば、扉体の本体部においてねじ用凹部の底面に向けられる面には、閉位置でねじ用凹部の内周面に当接してハウジングに対して扉体の本体部を位置決めする位置決め凸部が突設されているので、位置決め凸部を設けない場合に比べ、閉位置での扉体のハウジングに対するがたつきが抑制される。
【００３０】
請求項８の発明によれば、ハウジングには、扉体の固定部が挿通される扉固定穴が前後に貫設されていて、扉体の固定部は、扉固定穴に挿通不可能であって本体部に連結された連結部と、それぞれ連結部から後方に突設されて扉固定穴に挿通される２本の係止凸部とを有し、各係止凸部の後端部には、それぞれ、連結部との間に前後方向からハウジングを挟む係止爪が、他方の係止凸部から離れる方向に突設されていて、各係止凸部について、それぞれ、係止爪と連結部との間の距離は、ハウジングにおいて係止爪と連結部との間に挟まれる部位の前後の寸法よりも僅かに大きくされているので、係止爪と連結部との間の距離と、ハウジングにおいて係止爪と連結部との間に挟まれる部位の前後の寸法との差を小さくするほど、ハウジングに対する扉体の固定部のがたつきを抑えることができる。
【発明を実施するための最良の形態】
【００３１】
以下、本発明を実施するための最良の形態について、図面を参照しながら説明する。
【００３２】
本実施形態は、図２に示すように、屋外の壁面等の取付面（図示せず）に固定して用いられるものであって、人体（図示せず）から放射される熱線を検出する熱線センサＴＰ、並びに、所定の検出範囲からの熱線を熱線センサに集光する集光レンズ１１を有するセンサブロック１と、検出範囲の向きを可変とするようにセンサブロック１を首振り可能に支持するとともに後面を取付面に向けて取付面に対して固定されるハウジング２と、ハウジング２に保持され柔軟な信号線ＳＬを介して熱線センサＴＰに電気的に接続されるとともに電源（図示せず）から負荷（図示せず）への給電路に挿入され熱線センサＴＰにおける熱線の検出に応じて負荷への給電をオンオフするスイッチ装置３とを備える。負荷は例えば照明器具や換気扇である。以下、上下方向は図２を基準とし、図２の左上−右下方向を左右方向と呼び、図２の右左方向を前後方向と呼ぶ。
【００３３】
センサブロック１は、熱線センサＴＰが実装されたプリント配線板１１と、プリント配線板１１を収納したセンサケース１０とを備える。センサケース１０は、プリント配線板１１が下側に固定されるセンサベース１２と、筒形状であって上側の開口をセンサベース１２によって閉塞される形でセンサベース１２の下側に機械的に結合したセンサカバー１３と、下側に膨出したドーム形状であってセンサカバー１３の下側の開口を閉塞する形でセンサカバー１３の下側に機械的に結合し検出範囲からの熱線を熱線センサＴＰに集光する集光レンズ１４とを備える。センサベース１２とセンサカバー１３と集光レンズ１４とはそれぞれ例えば合成樹脂成型品からなる。集光レンズ１４は例えば周知の多焦点レンズである。また、図３に示すように信号線ＳＬが挿通される信号線挿通穴１０ａがセンサケース１０の後方へ開口するように、センサベース１２の前端とセンサカバー１３の後端とにはそれぞれ切欠が設けられている。
【００３４】
スイッチ装置３は、電源に接続された電源側電線（図示せず）と負荷に接続された負荷側電線（図示せず）とがそれぞれ電気的且つ機械的に接続される端子台３１と、端子台３１における電源側電線が電気的に接続される部位と負荷側電線が電気的に接続される部位との間に介在する例えばトライアックのようなスイッチング素子（図示せず）と、熱線センサＴＰの出力に応じてスイッチング素子をオンオフするスイッチ駆動回路（図示せず）とを備える。スイッチ駆動回路は、例えば、熱線センサＴＰの出力に基いて検出範囲に人体が存在すると判定したときに負荷への給電をオンするとともに、検出範囲に人体が存在すると判定されなくなってから所定の遅れ時間が経過したときに負荷への給電をオフするものである。このようなスイッチ駆動回路は周知技術で実現可能であるので、詳細な図示並びに説明は省略する。さらに、スイッチ駆動回路は、人体が存在するか否かの判定に用いられる閾値や上記の遅れ時間といった動作内容を設定するための可変抵抗やロータリースイッチといった４個の調整素子３２を備える。また、スイッチ装置３は、それぞれ厚さ方向を前後方向に向け実装面同士を互いに対向させてハウジング２に対して固定される第１プリント配線板３０ａと第２プリント配線板３０ｂとを備え、スイッチ駆動回路を構成する回路部品やスイッチング素子は第１プリント配線板３０ａと第２プリント配線板３０ｂとに分けて実装されている。第１プリント配線板３０ａと第２プリント配線板３０ｂとは周知のコネクタを介して互いに電気的に接続されている。実装面を後方に向けた第１プリント配線板３０ａの実装面（後面）の上端部には端子台３１が実装され、実装面を前方に向けた第２プリント配線板３０ｂの実装面（前面）の下端部には４個の調整素子３２が左右に並べて実装されている。また、後方から見て端子台３１が第２プリント配線板３０ｂの上方に露出し、且つ前方から見て各調整素子３２がそれぞれ第１プリント配線板３０ａの下方に露出するように、第１プリント配線板３０ａは第２プリント配線板３０ｂに対して位置を上方にずらされている。さらに、本実施形態は、同様に電源から負荷への給電をオンオフする自動スイッチ子器（図示せず）を連動させることができるようになっており、図４に示すように、端子台３１の後面には、それぞれ電源側電線が挿入される一対の電源側電線挿入穴３１ａと、それぞれ負荷側電線が挿入される一対の負荷側電線挿入穴３１ｂと、それぞれ上記の自動スイッチ子器に接続される一対の子器側電線（図示せず）が挿入される一対の子器側電線挿入穴３１ｃとが、左右に並べて設けられている。
【００３５】
ハウジング２は、前後に扁平であってスイッチ装置３が前側に固定されてハウジング２の後面を構成するボディ２１と、センサブロック１が挿通されるセンサ挿通穴２２ａが上下に貫設されボディ２１の前側に結合するとともにセンサブロック１を支持する支持枠２２と、ボディ２１に被着されてスイッチ装置３が収納される空間をボディ２１との間に構成するとともにセンサブロック１を下方に露出させるカバー２３とを備える。ボディ２１と支持枠２２とカバー２３とは、それぞれ例えば合成樹脂成型品からなる。
【００３６】
ボディ２１は、全体として前後に扁平な形状であって、前方に膨出した形状であって前側にスイッチ装置３が固定されるスイッチ装置保持部２４と、前後に扁平な形状であって後面がスイッチ装置保持部２４よりも後方に位置してセンサブロック１が固定されるセンサブロック保持部２５とを有する。
【００３７】
さらに、スイッチ装置保持部２４は、前面が第２プリント配線板３０ｂの後面に当接する配線板保持部２４ａと、配線板保持部２４ａの上側に設けられて配線板保持部２４ａよりもさらに前方へ膨出した形状の端子台保持部２４ｂとを有する。端子台保持部２４ｂには、端子台３１が挿通される端子台挿通穴２４ｃが前後に貫設されており、端子台３１の各電線挿入穴３１ａ〜３１ｃは、それぞれ端子台挿通穴２４ｃを通じてハウジング２の後面に露出する。
【００３８】
ここで、端子台３１の左右両面にはそれぞれ係止凹部３１ｄが設けられており、端子台保持部２４ｂの前面の左右両端部には、それぞれ、係止凹部３１ｄを係止する係止片２４ｄと、第１プリント配線板３０ａと端子台３１とを貫通したビスＶ１（図１参照）が圧入されるビス止め部２４ｅとがそれぞれ後方に突設されている。すなわち、係止片２４ｄによる係止と、ビス止め部２４ｅへのビス止めとにより、スイッチ装置３はボディ３１に固定されている。さらに、配線板保持部２４ａの前面の右端部には、前端が第１プリント配線板３０ａの後面に当接する支持凸部２４ｆが前方へ突設されている。
【００３９】
次に、支持枠２２について説明する。支持枠２２は、センサブロック１が挿通される筒形状の本体部２２ａを備える。すなわち、請求項におけるセンサ挿通穴は、本体部２２ａの内側に構成されている。本体部２２ａの内周面は、上下方向に直交する断面での断面形状が円形状であって、その断面形状の内径が下方に向かって徐々に小さくなるような凹球面形状となっている。ここで、センサブロック１のセンサカバー１３の外周面は球面形状となっており、この球面形状の外径は、本体部２２ａの上端部の内径よりも小さく且つ本体部２２ａの下端部の内径よりも大きくなっている。これにより、センサブロック１は本体部２２ａには挿通不可能となっており、センサカバー１３の外周面が本体部２２ａの内周面に当接することにより支持枠２２に対してある程度向きを変更可能（首振り可能）となっている。
【００４０】
また、本実施形態は、厚さ方向を上下方向に向けた金属製の板ばねからなり支持枠２２とセンサブロック１との間に介在してセンサブロック１に上方から弾接することによりセンサブロック１を支持枠２２に押し付ける押さえばね４を備える。具体的に説明すると、図５に示すように、支持枠２２の本体部２２ａの上面には、４個のばね受け凸部２２ｂが、本体部２２ａの上側の開口を囲む長方形状の配置で４個、それぞれ上方へ突設されている。各ばね受け凸部２２ｂの内向きの面には、それぞればね受け凹部２２ｃが設けられている。押さえばね４は全体として円環形状であって、外周端部においてばね受け凸部２２ｂに対応する４箇所にはそれぞれ上下方向の外側へ向かって上方へ傾斜した被保持片４１が突設されており、各被保持片４１がそれぞればね受け凹部２２ｃの下向きの内面に弾接することにより、押さえばね４は支持枠２２に対する上方への変位を制限されている。ここで、センサブロック１の上面（すなわちセンサベース１２の上面）は、センサカバー１３の外周面と同心の球面形状となっている。押さえばね４の中央部には、センサブロック１の上面が挿入される円形状のセンサ挿通穴４０が上下に貫設されており、押さえばね４の下面においてセンサ挿通穴４０付近がセンサブロック１に弾接する。また、センサベース１２の上面の中央部には、円柱形状の制限凸部１０ｂが上方に突設されて押さえばね４のセンサ挿通穴４０に挿通されており、この制限凸部１０ｂが押さえばね４のセンサ挿通穴４０の内周面に当接することにより、ハウジング２に対するセンサブロック１の回転角度が制限されている。さらに、押さえばね４において、支持枠２２に弾接する外周部に対し、センサブロック１に弾接する内周部が上下に変位しやすいように、押さえばね４にはそれぞれ挿通穴４０と同心の円弧形状の複数個（図では４個）のスリット４２が設けられている。
【００４１】
さらに、支持枠２２は、本体部２２ａの後端部から左右両側にそれぞれ突設され上下に扁平な第１の嵌合片２２ｄを有する。図６に示すように、ボディ２１のセンサブロック保持部２５の前面の左右両端部には、それぞれ左右に対向して支持枠２２を挟む挟み凸部２５ａが前方に突設されるとともに、上下に対向して左右方向の外側の端部が挟み凸部２５ａに連結された１組ずつの保持凸部２５ｂが前方へ突設されている。支持枠２２は、各嵌合片２２ｄがそれぞれ上下に対向する保持凸部２５ｂの間に圧入されることにより、ボディ２１に対して保持される。すなわち、上下に対向する保持凸部２５ｂの間に、請求項における嵌合凹部が形成されている。また、各嵌合片２２ｄの上面には、保持凸部２５ｂ間に挿入された際に上側の保持凸部２５ｂによって押し潰される圧入凸部２２ｅが突設されている。すなわち、圧入凸部２２ｅを設けない場合に比べ、支持枠２２のボディ２１に対する結合の強度が向上している。さらに、各嵌合片２２ｄの後端部において左右方向の外向きの面は後方（すなわちボディ２１に対する支持枠２２の取付方向）に向かって左右方向の内向き（すなわち挟み凸部２５ａによって挟まれる左右方向での寸法を小さくする方向）に傾斜した傾斜面となっており、支持枠２２をボディ２１に取り付ける際には前記傾斜面が挟み凸部２５ａに摺接することにより支持枠２２が挟み凸部２５ａの間へガイドされるから、前記傾斜面を設けない場合に比べて挟み凸部２５ａの間への支持枠２２の導入が容易となっている。
【００４２】
また、支持枠２２は、本体部２２ａの後端から下方に突設された前後に扁平な固定片２２ｆを有する。固定片２２ｆの後面の下端部には、２個の嵌合凸部２２ｇが左右に並べて後方へ突設されている。ボディ２１のセンサブロック保持部２５の下端部にはそれぞれ嵌合凸部２２ｇが嵌め込まれる２個の嵌合穴２５ｃが前後に貫設されており、各嵌合凸部２２ｇがそれぞれ嵌合穴２５ｃに嵌め込まれることによってもボディ２１と支持枠２２との結合力が生じている。
【００４３】
ここで、支持枠２２の本体部２２ａの後面には、図７に示すように、前後方向と上方とにそれぞれ開放されてセンサブロック１の信号線挿通穴１０ａに連通する信号線挿通開口としての信号線挿通切欠２２ｈが設けられており、センサブロック１から信号線挿通穴１０ａを通じて引き出された信号線ＳＬは信号線挿通切欠２２ｈを通じてスイッチ装置３に接続される。
【００４４】
そして、ボディ２１のセンサブロック保持部２５の前面には、上下に扁平であって押さえばね４と支持枠２２との間に挿入される仕切り凸部２５ｄが前方に突設されている。この仕切り凸部２５ｄを挟んで押さえばね４と信号線挿通穴１０ａとが上下の異なる側に位置することで、支持枠２２をボディ２１に取り付ける際に信号線ＳＬが押さえばね４とボディ２１との間に挟まれにくくなっている。
【００４５】
次に、カバー２３について説明する。カバー２３は、図８（ａ）（ｂ）及び図９に示すように、後面が開口した直方体形状のボス部２６と、ボス部２６の後側に設けられ前方から見てボス部２６の全周から突出したベース部２７とを有する。ベース部２７の後面にはボディ２１が嵌め込まれる嵌合凹部２３ａが開口しており、嵌合凹部２３ａの底面にはボス部２６が開口している。
【００４６】
ボディ２１においてスイッチ装置保持部２４の左右両面には、それぞれ係合爪２１ａが左右方向の外向きに突設されている。また、ボディ２１においてセンサブロック保持部２５の左右両端部には、それぞれ、左右に扁平であって挟み凸部２５ａの外向きの面に対し間に隙間を空けて対向した係合片２１ｂが前方に突設され、各係合片２１ｂの前端部にも係合爪２１ｃが左右方向の外向きに突設されている。図１０に示すようにボス部２６の左右に対向する内面にはそれぞれボディ２１のスイッチ装置保持部２４の係合爪２１ａが係入する係合凹部２３ｂが設けられるとともに、図１１に示すようにボス部２６の左右の壁において係合凹部２３ｂの下側にはそれぞれ係合片２１ｂに設けられた係合爪２１ｃが係入する係合穴２３ｃが左右に貫設されている。各係合爪２１ａ，２１ｃにおいて左右方向の外向きの面はそれぞれ後方へ向かって突出寸法を大きくするように傾斜した傾斜面となっている。ボディ２１をカバー２３に結合させる際には、カバー２３の後方から嵌合凹部２３ａ内にボディ２１を押し込むと、上記の傾斜面がカバー２３のボス部２６の左右に対向する内面に摺接することにより、ボディ２１においてスイッチ装置保持部２４の左右の壁と各係合片２１ｂとがそれぞれ係合爪２１ａ，２１ｃの突出方向の逆向きに弾性変形する。やがて各係合爪２１ａ，２１ｃがそれぞれ係合凹部２３ｂや係合穴２３ｃに至ると、スイッチ装置保持部２４の左右の壁と各係合片２１ｂとがそれぞれ弾性復帰することで、各係合爪２１ａ，２１ｃがそれぞれ係合凹部２３ｂや係合穴２３ｃに係合し、ここにおいてボディ２１はカバー２３に対して保持される。
【００４７】
さらに、ボディ２１のスイッチ保持部２４の左右両面において、係合爪２１ａの前側には、それぞれ、上面の前端が係合爪２１ａの上面の後端に連続するとともに後端がボディ２１のスイッチ保持部２４の後端に至る第１の脱落防止凸部２１ｄが左右方向の外向きに突設されている。また、ボディ２１のスイッチ保持部２４の左右両面の後端部において、第１の脱落防止凸部２１ｄの上側には、それぞれ、第２の脱落防止凸部２１ｅが左右方向の外向きに突設されている。
【００４８】
また、カバー２３の嵌合凹部２３ａの左右に対向する内面において、ボディ２１の下端部を左右から挟む部位には、それぞれ脱落防止凸部２３ｄが突設されている。さらに、カバー２３の嵌合凹部２３ａの底面（ベース部２７の後面）の下端部には、それぞれボディ２１の下端に当接してボディ２１のカバー２３に対する下方への変位を禁止する２個のボディ受け凸部２３ｅが左右に並べて後方へ突設されている。
【００４９】
ここで、ボディ２１の各脱落防止凸部２１ｄ，２１ｅにおいて左右方向の外向きの面は、それぞれ、後方に向かって脱落防止凸部２１ｄ，２１ｅの突出方向を小さくする方向に傾斜した傾斜面となっている。また、カバー２３の各脱落防止凸部２３ｄにおいて左右方向の内向きの面は、それぞれ後方に向かって突出寸法を小さくするように傾斜した傾斜面となっている。すなわち、ボディ２１をカバー２３に結合させる際には、嵌合凹部２３ａの左右に対向する内面に各脱落防止凸部２１ｄ，２１ｅの上記傾斜面が摺接することや、カバー２３の各脱落防止凸部２３ｄの上記傾斜面にボディ２１の左右の端部が摺接することによっても、ボディ２１がカバー２３に対してガイドされる。また、ボディ２１のカバー２３に対する左右方向の変位であって係合爪２１ａ，２１ｃが係合凹部２３ｂや係合穴２３ｃから脱落するほどの変位は、ボディ２１の脱落防止凸部２１ｄ，２１ｅがカバー２３の嵌合凹部２３ａの内面に当接することやカバー２３の脱落防止凸部２３ｄがボディ２１に当接することによって防止されている。
【００５０】
さらに、ボディ２１の左右両側において、それぞれ、図１２に示すように、第１の脱落防止凸部２１ｄの上面は、後方すなわちハウジング３の外側へ向かって下方に傾斜している。これにより、第１の脱落防止凸部２１ｄの上面を傾斜させない場合に比べ、第１の脱落防止凸部２１ｄを伝った水がハウジング３内に浸入しにくくなっている。
【００５１】
また、カバー２３のボス部２６の下面には、上下両側と後方とにそれぞれ開放されて支持枠２２の本体部２２ａが挿通されセンサブロック１を露出させる露出切欠２６ａが設けられている。さらに、カバー２３のベース部２７において露出切欠２６ａの下側には、前後両側と上方とにそれぞれ開放されて露出切欠２６ａに連通し支持枠２２の固定片２２ｆが嵌め込まれる枠挿通切欠２７ａが設けられている。支持枠２２とセンサブロック１とがそれぞれ取り付けられたボディ２１がカバー２３に結合した状態では、支持枠２２の本体部２２ａの下面はカバー２３のボス部２６の下面と略面一となり、支持枠２２の固定片２２ｆの前面はカバー２３のベース部２７の前面と略面一となる。
【００５２】
さらに、図１３に示すように、カバー２３のボス部２６の後面には、センサブロック１の上側に位置する制限凸部２３ｆが後方へ突設されている。制限凸部２３ｆは、センサブロック１が押さえばね４のばね力に抗して上方へ押し込まれたときに、押さえばね４が塑性変形（降伏）に至るほど押さえばね４の変形量が大きくなる前に上方からセンサブロック１の制限凸部１０ｂに当接してそれ以上の押さえばね４の変形を禁止するものである。すなわち、制限凸部２３ｆにより、押さえばね４の塑性変形が防止されている。
【００５３】
また、支持枠２２の前端部には、それぞれ上下に扁平な位置決め凸部２２ｋ（図６参照）が左右方向の外向きに突設されている。カバー２３の後面には位置決め凸部２２ｋを上下方向から挟む挟み部（図示せず）が設けられており、位置決め凸部２２ｋが前記挟み部に挟まれることにより、カバー２３に対する支持枠２２のがたつきが抑制されている。
【００５４】
さらに、カバー２３のボス部２６の前面には左右両側に開放された溝状の操作凹部２６ｂが設けられ、操作凹部２６ｂの底面にはそれぞれスイッチ装置３の調整素子３２のうちの１個ずつの操作用の部材（押釦や摘み等を指す。以下、「ハンドル」と呼ぶ。）が挿通される４個の操作穴２６ｃが左右に並べて前後に貫設されている。スイッチ装置３が取り付けられたボディ２１がカバー２３に結合した状態では、各調整素子３２のハンドルの前端はそれぞれ操作凹部２６ｂの底面よりも前方に突出し且つボス部２６の前端よりも後方に位置する。
【００５５】
ここで、取付面へのハウジング２の固定には絶縁枠７が用いられる。絶縁枠７は取付面に対してねじや挟み金具（図示せず）などの周知の手段によって固定されるものであり、ハウジング２は絶縁枠７に対して２本の取付ねじＳＣを用いてねじ止め固定されることで、取付面に対して固定される。そして、カバー２３の上下両端部には、それぞれ、上記の取付ねじＳＣが挿通されるねじ挿通穴２３ｇが前後に貫設されている。また、端子台３１に接続される各電線は取付面から引き出されるものであって、絶縁枠７には前記各電線がそれぞれ挿通される電線挿通穴７０が前後に貫設されている。さらに、ハウジング２と取付面との間には、例えばポリ塩化ビニル（ＰＶＣ）のような柔軟な材料からなるパッキン８が介装される。パッキン８には、上記の各電線を挿通するための電線挿通穴８０が前後に貫設されるとともに、取付ねじＳＣが挿通されるねじ挿通穴８１が上下両端部においてそれぞれ前後に貫設されている。パッキン８は絶縁枠７の略全周にわたって取付面に弾接するものであって、ハウジング２の後面と取付面との間の隙間は、パッキン８により閉塞される。
【００５６】
また、カバー２３の後面の上下両端部には、それぞれ後面にねじ挿通穴２３ｇが開口した筒形状のねじ挿通筒２３ｈが後方に突設されており、ボディ２１の上下両端には、それぞれねじ挿通筒２３ｈを避けるねじ挿通切欠２１ｆが設けられている。上側のねじ挿通切欠２１ｆは端子部挿通穴２４ｃに連通している。ボス部２６の上面には、前端がボス部２６の前方に開放されるとともに後端が上側のねじ挿通穴２３ｇに連通したねじ挿通溝２６ｄが設けられている。
【００５７】
さらに、カバー２３のベース部２７の前面において支持枠２２の固定片２２ｆの下側となる部位には上下両側に開放された扉用凹部２８が設けられている。扉用凹部２８の底面にはねじ用凹部２８ａが設けられており、下側のねじ挿通穴２３ｇはねじ用凹部２８ａの底面に開口している。すなわち、下側のねじ挿通穴２３ｇに挿通された取付ねじＳＣの頭部は、ねじ用凹部２８ａに収納される。
【００５８】
また、本実施形態は、図１４（ａ）（ｂ）に示すようにねじ用凹部２８ａを開閉する扉体５を備える。扉体５は、例えば合成樹脂成型品からなり、ハウジング２に対して固定される固定部５１と、図１４（ａ）のようにねじ用凹部２８ａを閉塞する閉位置と図１４（ｂ）のようにねじ用凹部２８ａを開放する開位置との間で固定部５１に対して回転可能に連結された本体部５２とを備える。固定部５１は、図１５に示すように、扉用凹部２８内すなわちハウジング２の前側に位置し本体部５２に連結された連結部５１ａと、連結部５１ａから上下に並べて２個後方に突設された係止凸部５１ｂと、各係止凸部５１ｂの後端部からそれぞれ上下方向の外向きに突設された係止爪５１ｃとを有する。扉用凹部２８の底面の左端部には、上下に長い扉固定穴２８ｂが前後に貫設されている。扉固定穴２８ｂの上下両側においてそれぞれハウジング２（カバー２３）の前後の寸法は扉体５の連結部５１ａと係止爪５１ｃとの距離よりも僅かに小さくなっている。各係止爪５１ｃの上下方向の外向きの面はそれぞれ後方に向かって突出寸法を小さくするように傾斜した傾斜面となっており、扉体５をハウジング２（カバー２３）に取り付ける際には、各係止凸部５１ｂをそれぞれ扉固定穴２８ｂに挿入すると、上記の各傾斜面がそれぞれ扉固定穴２８ｂの内面に摺接することにより各係止凸部５１ｂがそれぞれ弾性変形し、やがて係止爪５１ｃがハウジング２（カバー２３）の後側に至ったときに各係止凸部５１ｂがそれぞれ弾性復帰することで各係止爪５１ｃがそれぞれハウジング２（カバー２３）の後側に変位し（つまり係止され）、ここにおいて図１６に示すように各係止爪５１ｃがそれぞれ連結部５１ａとの間にハウジング２（カバー２３）を挟むことにより、扉体５はハウジング２（カバー２３）に保持される。本実施形態では上記のように係止爪５１ｃとの間にハウジング２を挟む部位である連結部５１ａが固定部５１に設けられているので、各係止凸部５１ｂをそれぞれヒンジ部５３に直接連結して係止爪５１ｃと本体部５２の左端部との間にハウジング２を挟む構造とする場合に比べ、扉体５の開閉時のがたつきが発生しにくい。
【００５９】
次に、扉体５の本体部５２の形状について、閉位置での向きを基準として説明する。本体部５２は、全体として左右に長く前後に扁平な直方体形状の閉塞部５２ａを有し、閉塞部５２ａの左端部が、薄肉のヒンジ部５３を介して固定部５１の連結部５１ａに連結されることにより、ヒンジ部５３を軸として固定部５１に対し上下方向から見た面内で回転可能となっている。また、閉塞部５２ａの後面の中央部には、閉位置において取付ねじＳＣの頭部を避ける凹球面形状の退避凹部５２ｂが設けられている。さらに、閉塞部５２ａの右端部の後面には、それぞれ後端部が右方へ曲がった鉤状のロック爪５２ｃが上下に並べて２個後方へ突設されている。扉用凹部２８の底面において右端部にはそれぞれロック爪５２ｃが挿入されるロック穴２８ｃが前後に貫設されており、閉位置では、ロック爪５２ｃがロック穴２８ｃの後側においてカバー２３の後面に係止されることにより、使用者が意図しない扉体５の開放（本体部５２の開位置への変位）が抑制される。上記のようなロック爪５２ｃの係脱は、扉体５の本体部５２に力を加えてロック爪５２ｃを弾性変形させることによって行われる。また、閉塞部５２ａの後面において、上端の左右方向の中央部と、下端の左端から左右方向の中央部にかけてとには、それぞれがたつき防止凸部５２ｄ，５２ｅが後方へ突設されている。扉用凹部２８の底面において、上端の左右方向の中央部と、下端の左端から左右方向の中央部にかけてとには、それぞれ前方と上下方向の外側とに開放されたがたつき防止凹部２８ｄ，２８ｅ（上側のがたつき防止凸部２８ｄについては図８（ａ）参照）が設けられており、閉位置では各がたつき防止凸部５２ｄ，５２ｅがそれぞれがたつき防止凹部２８ｄ，２８ｅに係入することで、ハウジング２（カバー２３）に対する扉体５のがたつきが抑制される。ここで、閉位置では、扉体５の本体部５２の前面とハウジング２（カバー２３）のべース部２７の前面とは略面一となるとともに、扉体５の本体部５２の下面とハウジング２（カバー２３）のべース部２７の下面とは略面一となる。
【００６０】
さらに、扉凹部２８の底面の下端において、下側のがたつき防止凹部２８ｅの左側には、下方に向かって後方へ傾斜し扉体５の本体部５１（閉塞部５２ａ）の後面との間に隙間を空ける傾斜部２８ｆが設けられており、扉体５を開く（すなわち、本体部５１を閉位置から開位置に変位させる）際には、手の爪等を上記の隙間に差し込んで扉体５の本体部５１の後面に引っ掛ければ、扉体５を容易に開くことができる。
【００６１】
また、扉体５の閉塞部５２ａの後面において退避凹部５２ｂの下側には、それぞれ図１７に示すようにねじ用凹部２８ａの内周面に当接することでハウジング２に対する扉体５の可動範囲を制限する３個の位置決め凸部５２ｆ〜５２ｈがそれぞれ後方へ突設されている。これにより、位置決め凸部５２ｆ〜５２ｈを設けない場合に比べて、閉位置での扉体５のがたつきが抑制されている。
【００６２】
さらに、本実施形態は、ハウジング２に着脱自在に結合してボス部２６の上面と前面と左右両面とをそれぞれ覆う化粧カバー６を備える。化粧カバー６は例えばＡＢＳ樹脂のような合成樹脂からなる。化粧カバー６が取り付けられた状態では、上側のねじ挿通穴２３ｇと操作凹部２６ｂとはそれぞれ化粧カバー６によって閉塞される。具体的に説明すると、化粧カバー６は、図１８に示すように、ボス部２６の前面を覆う前壁６１と、前壁６１の上端から後方に突設されてボス部２６の上面を覆う上壁６２と、前壁６１の左右両端からそれぞれ後方に突設されて上端が上壁６２に連結されボス部２６の左右の側面を覆う２個の側壁６３とを備え、全体としては後面と下面とがそれぞれ開放された直方体形状となっている。各側壁６３の後端において、それぞれ上下方向の中央部には、それぞれ係止爪６３ａが左右方向の内向きに突設されている。図１９に示すように、ハウジング２のボス部２６の左右両面において上下方向の中央部には、それぞれ前端がボス部２６の前端に至るとともに後端がベース部２７の前面よりも前方に位置する係止凸部２６ｅが左右方向の外向きに突設されており、化粧カバー６をハウジング２に取り付ける際には、各係止爪６３ａをそれぞれ係止凸部２６ｅの上面に当接させて化粧カバー６をハウジング２に対して後方へ変位させ、化粧カバー６の後端がハウジング２のベース部２７の前面に当接したときに化粧カバー６をハウジング２に対して下方へ変位させれば、化粧カバー６の上壁６２がハウジング２のボス部２６の上面に当接した時点で各係止爪６３ａがそれぞれ係止凸部２６ｅの後側に位置する（つまり係止凸部２６ｅに係止される）。ここにおいて、ハウジング２の前方への化粧カバー６の脱落は防止される。また、各係止凸部２６ｅはそれぞれ後端部が下方に曲がったＬ字形状となっており、各係止爪６３ａの前面と各係止凸部２６ｅの後面とには互いに係合する凹凸形状が設けられていて、この凹凸形状の係合により、上記のような化粧カバー６の装着状態ではハウジング２に対する化粧カバー６の上方向への変位は抑制される。係止爪６３ａや係止凸部２６ｅの弾性変形により上記の凹凸形状の係脱は自在となっている。また、化粧カバー６における前壁６１の後方への各側壁６３の突出寸法は、ハウジング２におけるベース部２７の前面からのボス部２６の突出寸法と略同じとされており、化粧カバー６がハウジング２に取り付けられた状態では化粧カバー６の前壁６１の下端部とハウジング２のボス部２６との間にはほとんど隙間が生じない。
【００６３】
また、ハウジング２のボス部２６の左右両面において、係止凸部２６ｅの上側には、それぞれガイド凸部２６ｆが左右方向の外向きに突設されている。ガイド凸部２６ｆの下面と係止凸部２６ｅの上面との間の距離は、係止爪６３ａの上下の寸法よりも大きくされている。すなわち、ガイド凸部２６ｆが設けられていない場合、化粧カバー６の後端をハウジング２のベース部２７の前面に当接させる際の化粧カバー６の上下位置を上側としすぎることにより係止爪６３ａを係止凸部２６ｅに係止させる際の化粧カバー６の下方への移動距離が大きくなりやすいが、本実施形態では、化粧カバー６の取付時には係止爪６３ａをガイド凸部２６ｆと係止凸部２６ｅとの間に導入することになるから、化粧カバー６の後端をハウジング２のベース部２７に当接させてから係止爪６３ａを係止凸部２６ｅに係止させるまでの化粧カバー６の移動距離が比較的に小さくなりやすい。
【００６４】
さらに、化粧カバー６の上壁６２の後端には、２個の取付凸部６２ａが左右に並べて下方へ突設されている。また、ハウジング２のボス部２６の上面の後端部には、２個の取付穴２６ｇが左右に並べて設けられている。係止爪６３ａが係止凸部２６ｅに係止される状態では、図２０に示すように各取付凸部６２ａがそれぞれ取付穴２６ｇに嵌め込まれることによっても化粧カバー６とハウジング２との結合力が生じており、取付凸部６２ａや取付穴２６ｇを設けない場合に比べてハウジング２に対する化粧カバー６のがたつきが抑制されている。
【００６５】
ここで、化粧カバー６の各側壁６３の後端部において、取付凸部６２ａの下端よりも下側には、それぞれ後端が前壁６１に連結された制限凸部６３ｂが左右方向の内向きに突設されている。化粧カバー６をハウジング２に取り付ける際、少なくとも取付凸部６２ａが取付穴２６ｇに嵌合する直前には、制限凸部６３ｂがハウジング２のボス部２６の左右両側に位置することにより、ハウジング２に対する化粧カバー６の左右方向の変位が、各取付凸部６２ａの取付穴２６ｇへの挿入が可能な範囲内に制限される。また、各取付凸部６２ａがそれぞれ取付穴２６ｇに嵌合した状態での化粧カバー６のハウジング２に対する左右方向への可動範囲が、いずれの取付凸部６２ａも取付穴２６ｇに嵌合しておらず且つハウジング２のボス部２６の左右両側に化粧カバー６の制限凸部６３ｂが位置する状態での化粧カバー６のハウジング２に対する左右方向への可動範囲よりも小さくなるように、取付凸部６２ａと取付穴２６ｇと制限凸部６２ｂとの寸法形状はそれぞれ決定されている。これにより、制限凸部６３ｂを設けない場合に比べ、ハウジング２に対する化粧カバー６の取付時に取付穴２６ｇへの取付凸部６２ａの導入がより容易となっている。また、取付凸部６２ａや取付穴２６ｇを設けない場合に比べ、ハウジング２に対する化粧カバー６のがたつきが抑制されている。
【００６６】
また、ハウジング２のボス部２６の左右両面において、下端部と、係止凸部２６ｅの下側と、ガイド凸部２６ｆの上側とには、それぞれ後端をベース部２７に連結された内反り防止凸部２６ｈ〜２６ｊが左右方向の外向きに突設されている。化粧カバー６がハウジング２に取り付けられた状態では、各係止凸部２６ｅと各ガイド凸部２６ｆと各内反り防止凸部２６ｈ〜２６ｊとがそれぞれ化粧カバー６の左右に対向する内面に当接することで、化粧カバー６の側壁６３間の距離を小さくするような変形（内反り）が抑制され、化粧カバー６の左右の側面は、ハウジング２のベース部２７の左右の側面と略面一に維持される。なお、化粧カバー６を取り付ける際に係止爪６３ａを導入する位置を分かりやすくするためには、図２１に示すように最も上側の内反り防止凸部２６ｈがガイド凸部２６ｆに一体化されたような形とすることが望ましいが、本実施形態では成型時のヒケによる変形を避けるために上記の内反り防止凸部２６ｈとガイド凸部２６ｆとを分けている。
【００６７】
さらに、ハウジング２の最も下側の各内反り防止凸部２６ｊの上側においてベース部２７の前面には、それぞれ、後端が上記の内反り防止凸部２６ｊに連結されてボス部２６の左右の側面との間に隙間が空いた外反り防止凸部２７ｂが前方へ突設されている。また、化粧カバー６の各側壁６３の後端において係止爪６３ａの下側にはそれぞれ外反り防止片６３ｃが左右方向の内向きに突設され、各外反り防止片６３ｃの下端にはそれぞれ側壁６３との間に隙間を空けた外反り防止爪６３ｄが下方に突設されている。化粧カバー６がハウジング２に取り付けられる際には、図２２に示すように外反り防止凸部２７ｂとボス部２６の左右の側面との間に外反り防止爪６３ｄが挿入される。このように外反り防止爪６３ｄが外反り防止凸部２７ｂに対して左右方向の内側に位置することで、化粧カバー６の側壁６３間の距離を大きくするような変形（外反り）は防止される。
【００６８】
ところで、本実施形態の製造時には、まずボディ２１にスイッチ装置３を取り付け、支持枠２２にセンサブロック１と押さえばね４とをそれぞれ取り付けて、センサブロック１から引き出した信号線ＳＬをスイッチ装置３の第３のプリント配線板３０ｂに接続した上で、支持枠２２をボディ２１に結合させる。上記のような作業を行いやすいように、信号線ＳＬはセンサブロック１の後方へ引き出されており、且つ、信号線ＳＬの長さは完成状態でのスイッチ装置３とセンサブロック１との距離に対して長めとされている。従って、支持枠２２をボディ２１に結合させる際に信号線ＳＬをボディ２１と支持枠２２との間に挟んでしまう可能性があり、このように信号線ＳＬがボディ２１と支持枠２２との間に挟まれると、ボディ２１と支持枠２２との結合が不良となったり、信号線ＳＬが断線してしまったりといったことが考えられる。
【００６９】
そこで、本実施形態では、支持枠２２の本体部２２ａの左右両面に、それぞれ先端が前方へ曲がった鉤状の引掛凸部２２ｉが左右方向の外側へ突設されている。各引掛凸部２２ｉの下面はそれぞれ嵌合片２２ｄの上面よりも上方に位置している。支持枠２２をボディ２１に取り付ける際には、図１及び図７に示すように、信号線挿通切欠２２ｈを通じて支持枠２２の左右に引き出された各信号線ＳＬを、それぞれ嵌合片２２ｄの上側と引掛凸部２２ｉの下側とを通して引掛凸部２２ｉの前側に引っ掛ければ、信号線ＳＬがボディ２１と支持枠２２との間に挟まれにくい。更に、支持枠２２の後面（図７での左面）において信号線挿通切欠２２ｈの左右両側、すなわち信号線挿通穴１０ａと引掛凸部２２ｉとの間には、それぞれ左右方向に開放された信号線ガイド溝２２ｊが設けられており、この信号線ガイド溝２２ｊに信号線ＳＬを通すことで、信号線ＳＬがよりボディ２１と支持枠２２との間に挟まれにくくなる。
【図面の簡単な説明】
【００７０】
【図１】本発明の実施形態において、ボディにスイッチ装置が取り付けられたものと、支持枠にセンサブロックと押さえばねとが取り付けられたものとを示す斜視図である。
【図２】同上と絶縁枠とパッキンとを示す分解斜視図である。
【図３】同上のボディにスイッチ装置と支持枠とセンサブロックと押さえばねとがそれぞれ取り付けられた状態の要部を示す一部破断した斜視図である。
【図４】同上を示す背面図である。
【図５】同上の支持枠にセンサブロックと押さえばねとを取り付けた状態を示す左斜め上方から見た斜視図である。
【図６】同上において、ボディにスイッチ装置が取り付けられたものと、支持枠にセンサブロックと押さえばねとが取り付けられたものとを示す、図１とは異なる方向から見た斜視図である。
【図７】同上の支持枠にセンサブロックと押さえばねとを取り付けた状態を示す左斜め後方から見た斜視図である。
【図８】（ａ）（ｂ）はそれぞれ同上のカバーを示し、（ａ）は正面図、（ｂ）は平面図である。
【図９】同上において化粧カバーを取り外した状態を示す後ろ斜め下方から見た斜視図である。
【図１０】同上において化粧カバーを取り外した状態を示す断面図である。
【図１１】同上において化粧カバーを取り外した状態を示す、図１０とは異なる断面での断面図である。
【図１２】同上のボディにスイッチ装置と支持枠とセンサブロックと押さえばねとがそれぞれ取り付けられた状態を示す左側面図である。
【図１３】同上において化粧カバーを取り外した状態を示す一部破断した斜視図である。
【図１４】（ａ）（ｂ）はそれぞれ同上の要部を示す一部破断した斜視図であり、（ａ）は扉体が閉じた状態を示し、（ｂ）は扉体が開いた状態を示す。
【図１５】同上の扉体を示す背面図である。
【図１６】同上の扉体とハウジングとの結合部を示す断面図である。
【図１７】同上において扉体が閉じた状態での扉体の位置決め凸部とハウジングのねじ用凹部との位置関係を示す説明図である。
【図１８】同上の化粧カバーを示す斜視図である。
【図１９】同上においてハウジングと化粧カバーとを分離した状態を示す斜視図である。
【図２０】同上を示す断面図である。
【図２１】同上の比較例において扉体と化粧カバーとを取り外した状態を示す斜視図である。
【図２２】同上の外反り防止用の構造を示す断面図である。
【符号の説明】
【００７１】
１  センサブロック
２  ハウジング
３  スイッチ装置
４  押さえばね
５  扉体
１４  集光レンズ
２１  ボディ
２２  支持枠
２２ｄ  嵌合片
２２ｅ  圧入凸部
２２ｈ  信号線挿通切欠（請求項における信号線挿通開口）
２２ｉ  引掛凸部
２２ｊ  信号線ガイド溝
２３  カバー
２３ｆ  制限凸部
２３ｇ  ねじ挿通穴
２５ａ  挟み凸部
２５ｄ  仕切り凸部
２８ａ  ねじ用凹部
２８ｂ  扉固定穴
５１  固定部
５１ａ  連結部
５１ｂ  係止凸部
５１ｃ  係止爪
５２  本体部
ＳＬ  信号線
ＴＰ  熱線センサ
【図１】
2010027399.tif 000003
【図２】
2010027399.tif 000004
【図３】
2010027399.tif 000005
【図４】
2010027399.tif 000006
【図５】
2010027399.tif 000007
【図６】
2010027399.tif 000008
【図７】
2010027399.tif 000009
【図８】
2010027399.tif 000010
【図９】
2010027399.tif 000011
【図１０】
2010027399.tif 000012
【図１１】
2010027399.tif 000013
【図１２】
2010027399.tif 000014
【図１３】
2010027399.tif 000015
【図１４】
2010027399.tif 000016
【図１５】
2010027399.tif 000017
【図１６】
2010027399.tif 000018
【図１７】
2010027399.tif 000019
【図１８】
2010027399.tif 000020
【図１９】
2010027399.tif 000021
【図２０】
2010027399.tif 000022
【図２１】
2010027399.tif 000023
【図２２】
2010027399.tif 000024